(57)【特許請求の範囲】
【請求項１】
通信端末からの無線信号をトリガとして車両を動作させるリモートキーレスシステムと、タイヤから該タイヤの空気圧情報を含む無線信号を受信して空気圧を監視するタイヤ空気圧監視システムとで共用され、これらシステムのうち一方の機能部として動作可能な車載通信機において、
ドアの開閉の情報を取得するドア開閉取得手段と、
車両のイグニッションスイッチのオンオフ状態を取得するイグニッション操作状態取得手段と、
前記ドア開閉取得手段が取得したドア開閉履歴、及び前記イグニッション操作状態取得手段が取得した前記イグニッションスイッチのオンオフ状態に基づき、前記車両が停止状態又は走行状態のどちらにあるのかを判定する判定手段と、
前記車両が停止状態にあると前記判定手段が判定するとき、前記機能部を前記リモートキーレスの機能とし、前記車両が走行状態にあると前記判定手段が判定するとき、前記機能部を前記タイヤ空気圧監視システムの機能に切り替える切替手段とを備え、
前記判定手段は、前記イグニッションスイッチがオフ状態である場合、前記車両が停止状態と判定し、前記イグニッションスイッチがオン状態であるとともに、当該イグニッションスイッチがオン状態となる前の一定時間内に前記ドア開閉履歴がない場合、前記車両が停止状態と判定し、前記イグニッションスイッチがオン状態であるとともに、当該イグニッションスイッチがオン状態となる前の一定時間内に前記ドア開閉履歴がある場合、前記車両が走行状態と判定する
ことを特徴とする車載通信機。
【請求項２】
請求項１に記載の車載通信機において、
エンジンを始動するときに車内において操作する操作手段の操作有無を検出するエンジン始動操作検出手段を備え、
前記判定手段は、前記イグニッションスイッチがオン状態となったとき、一定時間内にドア開閉履歴がなくとも、前記操作手段によるエンジン始動操作があったことが前記エンジン始動操作検出手段により検出されていれば、前記車両が走行状態と判定する
ことを特徴とする車載通信機。
【請求項３】
請求項１又は２に記載の車載通信機において、
前記機能部は、前記リモートキーレスシステムと前記タイヤ空気圧監視システムとに共用される制御部であり、
前記切替手段は、当該制御部の機能を、前記リモートキーレスシステム及び前記タイヤ空気圧監視システムのいずれかを制御可能に切り替える
ことを特徴とする車載通信機。
【請求項４】
請求項１〜３のいずれか一項に記載の車載通信機において、
前記機能部は、前記リモートキーレスシステムと前記タイヤ空気圧監視システムとに共用される受信機であり、
前記切替手段は、当該受信機の機能を、前記リモートキーレスシステム及びタイヤ空気圧監視システムのいずれかを制御可能に切り替える
ことを特徴とする車載通信機。
【発明の詳細な説明】
【技術分野】
【０００１】
この発明は、リモートキーレスシステムとタイヤ空気圧監視システムとに共用される車載通信機に関する。
【背景技術】
【０００２】
従来、車両に搭載される装置として、リモートキーレスシステムやタイヤ空気圧監視システム（ＴＰＭＳ：Ｔｉｒｅ  Ｐｒｅｓｓｕｒｅ  Ｍｏｎｉｔｏｒｉｎｇ  Ｓｙｓｔｅｍ）が知られている。なお、リモートキーレスシステムは、車両のユーザが携帯する電子キーを操作することで無線通信によって車両のドアロックを施錠又は解錠するシステムである。一方、タイヤ空気圧監視システムは、走行時に車両のタイヤに装着されたセンサからタイヤの空気圧や温度を無線通信によって取得して、運転者にタイヤの異常を報知するシステムである。
【０００３】
リモートキーレスシステムは、電子キーから発信された施錠又は解錠の無線信号を受信可能な受信機と、受信した信号に含まれる操作情報とキー固有のＩＤコードとを取得してＩＤ照合を行い、ＩＤ照合成立時にはドアロックを制御するドアロック制御装置とが車両に設けられる。また、タイヤ空気圧監視システムは、タイヤに装着されたセンサが発信した空気圧と温度とを含む無線信号を受信可能な受信機と、受信した信号から空気圧と温度とを表示するとともに、異常時には警告するタイヤ空気圧監視制御装置とが車両に設けられる。
【０００４】
近年、車両には上記以外にも多くの電装品が搭載されるため、それらの制御装置や受信機を統合した車載装置（車載通信機）が考案されている（例えば、特許文献１参照）。上記特許文献１に記載の車載装置では、リモートキーレスシステムの制御とタイヤ空気圧監視システムの制御とを１つの制御部（ＣＰＵ）で切り替えることで部材を共用するため、いずれか一方の制御しか実行できない。そこで、この車載装置は、イグニッションがオフであるときにはリモートキーレスシステムを制御し、イグニッションがオンであるときにはタイヤ空気圧監視システムを制御するようにして、イグニッションスイッチによる制御の切り替えを行っていた。
【先行技術文献】
【特許文献】
【０００５】
【特許文献１】特許第３７８９３３５号公報
【発明の概要】
【発明が解決しようとする課題】
【０００６】
ところで、上記の車載装置では、例えばリモートエンジンスタータを搭載した車両において、車両の外部から無線通信によってエンジンを始動させるとイグニッションがオンとなり、リモートキーレスシステムの制御からタイヤ空気圧監視システムの制御に切り替わってしまう。このため、ユーザがリモートキーレスシステムによって車両のドアロックを解錠するために、電子キーを操作して無線信号を発信しても上記の車載装置は反応せず、リモートキーレスシステムによってドアロックを解錠することができないという問題があった。
【０００７】
この発明は、こうした実情に鑑みてなされたものであり、その目的は、リモートキーレスシステムとタイヤ空気圧監視システムとの機能部を統合することができ、且つ車両状態に即して機能の切り替えを行うことができる車載通信機を提供することにある。
【課題を解決するための手段】
【０００８】
以下、上記目的を達成するための手段及びその作用効果について説明する。
請求項１に記載の発明は、通信端末からの無線信号をトリガとして車両を動作させるリモートキーレスシステムと、タイヤから該タイヤの空気圧情報を含む無線信号を受信して空気圧を監視するタイヤ空気圧監視システムとで共用され、これらシステムのうち一方の機能部として動作可能な車載通信機において、ドアの開閉の情報を取得するドア開閉取得手段と、車両のイグニッションスイッチのオンオフ状態を取得するイグニッション操作状態取得手段と、前記ドア開閉取得手段が取得したドア開閉履歴、及び前記イグニッション操作状態取得手段が取得した前記イグニッションスイッチのオンオフ状態に基づき、前記車両が停止状態又は走行状態のどちらにあるのかを判定する判定手段と、前記車両が停止状態にあると前記判定手段が判定するとき、前記機能部を前記リモートキーレスの機能とし、前記車両が走行状態にあると前記判定手段が判定するとき、前記機能部を前記タイヤ空気圧監視システムの機能に切り替える切替手段とを備え、前記判定手段は、前記イグニッションスイッチがオフ状態である場合、前記車両が停止状態と判定し、前記イグニッションスイッチがオン状態であるとともに、当該イグニッションスイッチがオン状態となる前の一定時間内に前記ドア開閉履歴がない場合、前記車両が停止状態と判定し、前記イグニッションスイッチがオン状態であるとともに、当該イグニッションスイッチがオン状態となる前の一定時間内に前記ドア開閉履歴がある場合、前記車両が走行状態と判定することをその要旨としている。
【０００９】
同構成によれば、判定手段の判定結果を基に、車両が停止状態のときは車載通信機の機能部がリモートキーレスシステムに設定され、車両が走行状態になると、車載通信機の機能部がタイヤ空気圧監視システムに切り替えられる。よって、１つの車載通信機の機能部が２つのシステムで共用されるので、部品点数を削減することが可能となる。また、機能切り替えの条件をイグニッションスイッチのオンオフ状態とドア開閉履歴としたので、車両状態に即した適切な機能の切り替えが可能となる。
また、イグニッションスイッチがオン状態に操作されたとき、操作前の一定時間内にド
ア開閉履歴がなければ、車載通信機の機能がリモートキーレスシステムからタイヤ空気圧監視システムに切り替わらない。このため、例えばリモートエンジンスタータによってエンジンが始動したときは、ドア開閉がないエンジン始動となるので、ドア開閉履歴がなく、車載通信機の機能がリモートキーレスシステムを維持する。よって、車両の停止状態と走行状態とのどちらであるのかをより適切に判定することが可能となるので、車載通信機の機能切替の精度を高めることが可能となる。
【００１２】
請求項２に記載の発明は、請求項１に記載の車載通信機において、エンジンを始動するときに車内において操作する操作手段の操作有無を検出するエンジン始動操作検出手段を備え、前記判定手段は、前記イグニッションスイッチがオン状態となったとき、一定時間内にドア開閉履歴がなくとも、前記操作手段によるエンジン始動操作があったことが前記エンジン始動操作検出手段により検出されていれば、前記機能部を前記リモートキーレスシステムから前記タイヤ空気圧監視システムに切り替えることをその要旨としている。
【００１３】
同構成によれば、ドア開閉から一定時間が経過していても、操作手段を操作することでエンジンを始動させたときには、車載通信機の機能がタイヤ空気圧監視システムに切り替わる。よって、エンジンを始動操作したときには、必ず車載通信機がタイヤ空気圧監視システムに切り替わるので、切替精度を確保することが可能となる。
【００１４】
請求項３に記載の発明は、請求項１又は２に記載の車載通信機において、前記機能部は、前記リモートキーレスシステムと前記タイヤ空気圧監視システムとに共用される制御部であり、前記切替手段は、当該制御部の機能を、前記リモートキーレスシステム及び前記タイヤ空気圧監視システムのいずれかを制御可能に切り替えることをその要旨としている。
【００１５】
同構成によれば、両システムに共用する制御部を、システムに応じた制御に切り替えることが可能となる。
請求項４に記載の発明は、請求項１〜３のいずれか一項に記載の車載通信機において、前記機能部は、前記リモートキーレスシステムと前記タイヤ空気圧監視システムとに共用される受信機であり、前記切替手段は、当該受信機の機能を、前記リモートキーレスシステム及びタイヤ空気圧監視システムのいずれかを制御可能に切り替えることをその要旨としている。
【００１６】
同構成によれば、両システムに共用する受信機を、システムに応じた受信機能に切り替えることが可能となる。
【発明の効果】
【００１７】
本発明によれば、リモートキーレスシステムとタイヤ空気圧監視システムとの機能部を統合した車載通信機において、車両状態に即して機能の切り替えを行うことができる。
【図面の簡単な説明】
【００１８】
【図１】リモートキーレスシステム及びタイヤ空気圧監視システムの概略構成を示すブロック図。
【図２】リモートキーレスシステムからタイヤ空気圧監視システムへの切り替え処理を示すフローチャート。
【図３】タイヤ空気圧監視システムからリモートキーレスシステムへの切り替え処理を示すフローチャート。
【図４】リモートキーレスシステム及びタイヤ空気圧監視システムの概略構成を示すブロック図。
【発明を実施するための形態】
【００１９】
以下、本発明を車両に具体化した車載通信機の一実施形態について図１〜図３を参照して説明する。
図１に示されるように、車両２には、電子キー１のボタン操作で車両２に無線で施錠信号Ｓｌ又は解錠信号Ｓｕｌを発信してドアロックの解錠又は施錠が実行されるリモートキーレスシステム３が設けられている。また、車両２には、タイヤの空気圧を監視するタイヤ空気圧監視システム（ＴＰＭＳ：Ｔｉｒｅ  Ｐｒｅｓｓｕｒｅ  Ｍｏｎｉｔｏｒｉｎｇ  Ｓｙｓｔｅｍ）４が設けられている。そして、本実施例においては、リモートキーレスシステム３とタイヤ空気圧監視システム４との機能部である制御装置と受信機とが統合されている。なお、電子キー１が通信端末に相当する。
【００２０】
車両２には、リモートキーレスシステム３とタイヤ空気圧監視システム４との両方の制御を行う統合ＥＣＵ（Ｅｌｅｃｔｒｏｎｉｃ  Ｃｏｎｔｒｏｌ  Ｕｎｉｔ）２１と、車両２の電源系を管理するメインボディＥＣＵ２２とが設けられている。統合ＥＣＵ２１には、車体等に埋設されてＵＨＦ（Ｕｌｔｒａ  Ｈｉｇｈ  Ｆｒｅｑｕｅｎｃｙ）帯の電波（約３１２ＭＨｚ）を受信可能なＵＨＦ受信機２３が接続されている。統合ＥＣＵ２１には、例えばドアロック施解錠等を管理するメインボディＥＣＵ２２と、エンジンＥＣＵ２４とが車内ＬＡＮ（Ｌｏｃａｌ  Ａｒｅａ  Ｎｅｔｗｏｒｋ）３０を介して接続されている。なお、統合ＥＣＵ２１は、電子キー１との間で無線通信を行い、自身のメモリ２１ａに登録されたＩＤコードとを照らし合わせてＩＤ照合を行う。また、統合ＥＣＵ２１が制御部に相当する。
【００２１】
一方、リモートキーレスシステム３に用いる電子キー１には、コントロールユニットとして通信制御部１１が設けられている。通信制御部１１には、電子キー１が持つ固有のキーコードとしてＩＤコードが登録されたメモリ１１ａが設けられている。通信制御部１１には、通信制御部１１の指令に従いＵＨＦ帯の電波（約３１２ＭＨｚ）を発信可能なＵＨＦ発信部１２が接続されている。電子キー１には、押しボタン式の施錠信号Ｓｌを発信させる施錠ボタン１３と、解錠信号Ｓｕｌを発信させる解錠ボタン１４とが設けられている。施錠ボタン１３と解錠ボタン１４とは、通信制御部１１に接続されている。ＵＨＦ発信部１２は、通信制御部１１から得た通信データを変調し、電子キー１が持つ固有のＩＤコードの含まれたＵＨＦ帯の施錠信号Ｓｌ又は解錠信号Ｓｕｌを発信する。
【００２２】
施錠ボタン１３が操作された際、電子キー１のＵＨＦ発信部１２から施錠信号Ｓｌが発信される。統合ＥＣＵ２１は、ＵＨＦ受信機２３で施錠信号Ｓｌを受信すると、自身のメモリ２１ａに登録されたＩＤコードと電子キー１のＩＤコードとを照らし合わせてＩＤ照合を行い、ＩＤ照合成立を確認すると、メインボディＥＣＵ２２にドアロックの施錠指令を出力し、ドアロック装置３１にドアロックを施錠させる。一方、解錠ボタン１４が操作された際、電子キー１のＵＨＦ発信部１２から解錠信号Ｓｕｌが発信される。そして、解錠信号Ｓｕｌ内のＩＤコードのＩＤ照合が成立すると、解錠指令が統合ＥＣＵ２１からメインボディＥＣＵ２２に出力され、ドアロック装置３１によりドアロックが解錠される。
【００２３】
また、車両２の運転席には、車両２の電源状態（電源ポジション）を切り換える際に操作されるイグニッションスイッチ３４が設けられている。イグニッションスイッチ３４は、メカニカルキー３５を挿入して、ロック位置から回動操作する毎に電源状態をＡＣＣ（Ａｃｃｅｓｓｏｒｙ）オン→ＩＧ（ＩＧｎｉｔｉｏｎ）オン→エンジンスタートへ切り替え可能である。イグニッションスイッチ３４がエンジンスタート位置に操作されると、エンジンが始動する。また、イグニッションスイッチ３４には、操作を検知して、メインボディＥＣＵ２２に出力する操作検出スイッチ３４ａが設けられている。なお、イグニッションスイッチ３４が操作手段に相当する。また、操作検出スイッチ３４ａがエンジン始動操作検出手段に相当する。
【００２４】
イグニッションスイッチ３４のスイッチ信号は、メインボディＥＣＵ２２及びエンジンＥＣＵ２４に出力されるとともに、車内ＬＡＮ３０を介して統合ＥＣＵ２１に出力される。イグニッションスイッチ３４は、ＡＣＣリレー３３がオンとなると、ＡＣＣオン信号ＳａｃｃをエンジンＥＣＵ２４に出力するとともに、メインボディＥＣＵ２２を介して車内ＬＡＮ３０に出力する。また、イグニッションスイッチ３４は、ＩＧリレー３２に基づく信号（ＩＧオン信号Ｓｉｏ、ＩＧオフ信号Ｓｉｆ）を、エンジンＥＣＵ２４に出力するとともに、メインボディＥＣＵ２２を介して車内ＬＡＮ３０に出力する。
【００２５】
また、車両２の各タイヤには、タイヤ空気圧等の状態を検出するタイヤセンサ４１，４２，４３，４４が設けられている。タイヤセンサ４１，４２，４３，４４には、圧力センサ、温度センサ、加速度センサ、ＵＨＦ送信機、これら部品を制御するコントローラ等が搭載されている。タイヤセンサ４１，４２，４３，４４は、内部に搭載された加速度センサが加速度を検出した際に、検出信号ＳｔｐをＵＨＦ帯の電波（約３１５ＭＨｚ）によって各センサ順に発信する。検出信号Ｓｔｐには、タイヤの空気圧、温度、及びタイヤの固有ＩＤ（タイヤＩＤ）等が含まれている。また、加速度センサは、タイヤ径方向の加速度を検出可能となっている。
【００２６】
車両２の運転席には、タイヤの空気圧等を運転者に表示する空気圧モニタ４５が設置されている。統合ＥＣＵ２１は、タイヤセンサ４１，４２，４３，４４から送信された検出信号ＳｔｐをＵＨＦ受信機２３で受信すると、空気圧モニタ４５に各タイヤの空気圧や温度を表示する。
【００２７】
ここで、施錠信号Ｓｌ及び解錠信号Ｓｕｌ（以降、両者を併せてワイヤレス信号という）と、タイヤ空気圧監視システム４の検出信号Ｓｔｐとで周波数が異なる値に設定されている。これは、リモートキーレスシステム３では確実な通信成立を優先し、タイヤ空気圧監視システム４では通信応答性を確保するためである。
【００２８】
車両２には、統合ＥＣＵ２１の機能をリモートキーレスシステム３とタイヤ空気圧監視システム４とに用いる車載通信機２０が設けられている。本例の車載通信機２０は、イグニッションのオンオフ状態と、ドア開閉履歴とに基づき、統合ＥＣＵ２１の機能を切り替えるものである。更に換言するならば、本例の車載通信機２０は、イグニッションスイッチ３４がＡＣＣオン又はＩＧオンとなったとき、その時点から一定時間内にドア開閉履歴があったとき、統合ＥＣＵ２１の機能をリモートキーレスシステム３からタイヤ空気圧監視システム４に切り替える。
【００２９】
本例のＵＨＦ受信機２３は、電子キー１からの電波（約３１２ＭＨｚ）と、タイヤセンサ４１，４２，４３，４４からの電波（約３１５ＭＨｚ）という、周波数が異なる電波を１つのチューナで受信する。また、リモートキーレスシステム３とタイヤ空気圧監視システム４とでは、変調方式や送信速度等も異なる。そこで、ＵＨＦ受信機２３には、統合ＥＣＵ２１の切替指令に従って受信機能を切り替える受信機能切替部２７が設けられている。受信機能切替部２７は、統合ＥＣＵ２１からの切替信号に従って、ＵＨＦ受信機２３の機能をワイヤレス信号又は検出信号Ｓｔｐのいずれかに対応した機能に設定する。なお、受信機能切替部２７が受信機能切替手段として機能する。
【００３０】
また、統合ＥＣＵ２１は、リモートキーレスシステム３とタイヤ空気圧監視システム４との両方を同時に制御することはできず、制御機能を切り替えて一方のみ制御する。このため、統合ＥＣＵ２１には、統合ＥＣＵ２１の制御機能を、リモートキーレスシステム３とタイヤ空気圧監視システム４とのいずれか一方の機能に切り替える制御機能切替部２１ｂが設けられている。ここで、統合ＥＣＵ２１の制御機能を切り替えるとは、統合ＥＣＵ２１のＣＰＵにて使用するプログラムを切り替え、且つＵＨＦ受信機２３の受信機能を切り替える動作のことを言う。
【００３１】
制御機能切替部２１ｂは、車両２が走行状態であるか否かを判定する車両状態判定部２１ｃの判定結果に基づいて機能を切り替える。具体的には、制御機能切替部２１ｂは、車両状態判定部２１ｃが走行状態と判定すればリモートキーレスシステム３からタイヤ空気圧監視システム４に切り替え、車両状態判定部２１ｃが走行状態でない、言い換えれば停止状態と判定すればタイヤ空気圧監視システム４からリモートキーレスシステム３に切り替える。なお、車両状態判定部２１ｃが判定手段として機能するとともに、制御機能切替部２１ｂが切替手段として機能する。
【００３２】
本実施例では、車両状態判定部２１ｃは、イグニッションスイッチ３４がオン（ＡＣＣオン又はＩＧオン）であるか否かと、ドア開閉履歴があるか否かとに基づいて車両２が走行状態であるか否かを定期的に判定している。そこで、統合ＥＣＵ２１には、ドアカーテシランプスイッチ５４からドアの開閉を取得するドア開閉取得部２１ｄと、イグニッションの状態を取得するイグニッション状態取得部２１ｅとが設けられている。ドア開閉取得部２１ｄは、ドアカーテシランプスイッチ５４からメインボディＥＣＵ２２を介して車内ＬＡＮ３０に出力されるドア開閉の情報を取得して、ドア開閉の有無を制御機能切替部２１ｂに出力する。イグニッション状態取得部２１ｅは、イグニッションスイッチ３４からメインボディＥＣＵ２２を介して車内ＬＡＮ３０に出力されるイグニッション情報を取得して、制御機能切替部２１ｂに出力する。なお、ドア開閉取得部２１ｄがドア開閉取得手段に相当するとともに、イグニッション状態取得部２１ｅがイグニッション操作状態取得手段に相当する。
【００３３】
車両状態判定部２１ｃは、イグニッションスイッチ３４がオンであること、且つドア開閉履歴があることとを確認すると、車両２は走行状態であると判定する。なお、車両状態判定部２１ｃは、イグニッションスイッチ３４がオンになったときから一定時間内にドアを開閉した履歴があることを条件に車両２は走行状態であると判定する。そして、制御機能切替部２１ｂは、統合ＥＣＵ２１の制御機能を、リモートキーレスシステム３の機能からタイヤ空気圧監視システム４の機能に切り替える。
【００３４】
一方、車両状態判定部２１ｃは、イグニッションスイッチ３４がオフである場合には、車両２は停止状態であると判定する。そして、制御機能切替部２１ｂは、統合ＥＣＵ２１の制御機能を、タイヤ空気圧監視システム４の機能からリモートキーレスシステム３の機能に切り替える。
【００３５】
さらに、車両状態判定部２１ｃは、イグニッションスイッチ３４がオンとなったとき、一定時間内にドア開閉履歴がなくとも、キースイッチやプッシュスイッチの操作履歴があれば、統合ＥＣＵ２１の機能をリモートキーレスシステム３からタイヤ空気圧監視システム４に切り替える。なお、キーススイッチは、メカニカルキーが運転席のキーシリンダに挿し込まれたときにオンするスイッチである。また、プッシュスイッチは、キー操作フリーシステムを搭載した車両２において、エンジンを始動するときに操作するモーメンタリ式の押しスイッチである。なお、キー操作フリーシステムとは、車両２からの通信をトリガとして電子キー１と車両２とが無線によりＩＤ照合を自動で行う認証システムである。
【００３６】
また、車両２には、リモートエンジンスタータ携帯機６のボタン操作で車両２に無線で始動信号Ｓｅｓ又は停止信号Ｓｅｔを発信してエンジンの始動及び停止が実行されるリモートエンジンスタータシステム５が設けられている。イグニッションスイッチ３４には、リモートエンジンスタータシステム５の制御を行うリモートエンジンスタータ装置２６が接続されている。
【００３７】
一方、リモートエンジンスタータシステム５に用いるリモートエンジンスタータ携帯機６には、コントロールユニットとして通信制御部６１が設けられている。通信制御部６１には、リモートエンジンスタータ携帯機６が持つ固有のコードとしてＩＤコードが登録されたメモリ６１ａが設けられている。通信制御部６１には、通信制御部６１の指令に従いＵＨＦ帯の電波（約３１２ＭＨｚ）を発信可能なＵＨＦ発信部６２が接続されている。リモートエンジンスタータ携帯機６には、押しボタン式の始動信号Ｓｅｓを発信させるスタートボタン６３と、停止信号Ｓｅｔを発信させるストップボタン６４とが設けられている。スタートボタン６３とストップボタン６４とは、通信制御部６１に接続されている。ＵＨＦ発信部６２は、通信制御部６１から得た通信データを変調し、リモートエンジンスタータ携帯機６が持つ固有のＩＤコードの含まれたＵＨＦ帯の始動信号Ｓｅｓ又は停止信号Ｓｅｔを発信する。
【００３８】
スタートボタン６３が操作された際、リモートエンジンスタータ携帯機６のＵＨＦ発信部６２から始動信号Ｓｅｓが発信される。リモートエンジンスタータ装置２６は、始動信号Ｓｅｓを受信すると、自身に登録されたＩＤコードとリモートエンジンスタータ携帯機６のＩＤコードとを照らし合わせてＩＤ照合を行い、ＩＤ照合成立を確認すると、イグニッションスイッチ３４のＩＧリレー３２をオンに切り替える。このため、ＩＧオン信号ＳｉｏがエンジンＥＣＵ２４に出力されるので、エンジンが始動する。
【００３９】
また、このＩＧオン信号ＳｉｏはメインボディＥＣＵ２２にも出力されるので、メインボディＥＣＵ２２はドアロックが施錠状態中のエンジン始動であることを認識する。そして、メインボディＥＣＵ２２は、車内ＬＡＮ３０にリモートエンジンスタータによるエンジン始動である旨のリモートエンジンスタータ作動信号Ｓｒｅｓを出力する。これは、ドアの開閉がなかったり、車内における電子キー１のＩＤ照合が成立しなかったりと通常ではエンジンが始動されない状態においてエンジンが始動されることとなるので、車両２が異常と判断しないよう各種装置に伝えるためである。ここで、リモートエンジンスタータ装置２６によってエンジンが始動されると、ＩＧリレー３２からＩＧオン信号ＳｉｏがメインボディＥＣＵ２２を介して車内ＬＡＮ３０に出力される。
【００４０】
一方、ストップボタン６４が操作された際、リモートエンジンスタータ携帯機６のＵＨＦ発信部６２から停止信号Ｓｅｔが発信される。リモートエンジンスタータ装置２６は、停止信号Ｓｅｔ内のＩＤコードのＩＤ照合成立を確認すると、イグニッションスイッチ３４のＩＧリレー３２をオフに切り替える。このため、ＩＧオフ信号ＳｉｆがエンジンＥＣＵ２４に出力されるので、エンジンが停止する。エンジンが停止されると、ＩＧリレー３２からＩＧオフ信号ＳｉｆがメインボディＥＣＵ２２を介して車内ＬＡＮ３０に出力される。
【００４１】
次に、本例のリモートキーレスシステム３とタイヤ空気圧監視システム４との動作を図２及び図３に従って説明する。
まず、駐車中の車両２は、リモートキーレスシステム３の機能を実行可能な状態となっている。すなわち、統合ＥＣＵ２１の制御機能は、通常状態においてリモートキーレスシステムの機能に設定されているので、統合ＥＣＵ２１の実行プログラムは、リモートキーレスシステム用のものが実行され、且つＵＨＦ受信機２３は、電子キー１からの電波を受信可能な周波数に設定されている。
【００４２】
リモートエンジンスタータシステム５によって駐車中の車両のエンジンを始動する場合には、リモートエンジンスタータ携帯機６のスタートボタン６３を操作することで、ＵＨＦ発信部１２から始動信号Ｓｅｓが発信される。車両２のリモートエンジンスタータ装置２６は、始動信号Ｓｅｓを受信すると、正規のリモートエンジンスタータ携帯機６であればイグニッションスイッチ３４をＩＧオンに切り替える。よって、エンジンＥＣＵ２４はエンジンを始動する。
【００４３】
図２に示されるように、統合ＥＣＵ２１の車両状態判定部２１ｃは、イグニッションスイッチ３４（ＩＧリレー３２又はＡＣＣリレー３３）がオンであるか否かを判断する（ステップＳ１）。すなわち、イグニッション状態取得部２１ｅがＩＧオン信号Ｓｉｏ又はＡＣＣオン信号Ｓａｃｃを取得しているか否かを確認する。そして、車両状態判定部２１ｃは、イグニッション状態取得部２１ｅがＩＧオン又はＡＣＣオンを取得している（ステップＳ１：ＹＥＳ）ので、ステップＳ２に移行する。なお、車両状態判定部２１ｃは、イグニッションスイッチ３４がオンでなければ（ステップＳ１：ＮＯ）、処理を終了する。
【００４４】
車両状態判定部２１ｃは、ドア開閉履歴があるか否かを判断する（ステップＳ２）。すなわち、イグニッションスイッチ３４がオンになったときから一定時間内にドア開閉の情報をドア開閉取得部２１ｄが取得しているか否かを確認する。このとき、車両状態判定部２１ｃは、上記のリモートエンジンスタータシステム５によってエンジンが始動されたので、ドア開閉履歴はなく（ステップＳ２：ＮＯ）、処理を終了する。よって、統合ＥＣＵ２１の制御機能切替部２１ｂは、リモートキーレスシステム３の機能を制御可能な状態を維持する。
【００４５】
続いて、運転者が乗り込んでエンジンを始動する場合には、リモートキーレスシステム３によってドアロックを解錠する。なお、メカニカルキー３５によってドアロックを解錠してもよい。このとき、リモートエンジンスタータシステム５によって始動されているが、統合ＥＣＵ２１はリモートキーレスシステム３の機能を制御するようになっているので、電子キー１によってドアロックの施解錠が可能である。
【００４６】
電子キー１の解錠ボタン１４が操作されると、ＵＨＦ発信部１２から解錠信号Ｓｕｌが送信される。統合ＥＣＵ２１は、ＵＨＦ受信機２３で解錠信号Ｓｕｌを受信すると、ＩＤ照合を行い、ＩＤ照合が成立すれば、メインボディＥＣＵ２２を介してドアロック装置３１に解錠させる。そして、ドアロック装置３１はドアロックを解錠する。
【００４７】
運転者がドアを開くと、駆動中のエンジンは防犯上停止する。このとき、車内ＬＡＮ３０には、ＩＧオン信号Ｓｉｏの出力が停止されるとともに、ＩＧオフ信号Ｓｉｆが出力される。そして、運転者が車内に乗り込んで、運転席のキーシリンダ（図示略）にメカニカルキー３５を挿入して、エンジンを始動させるべくイグニッションスイッチ３４をエンジンスタートまで回動操作すると、エンジンが始動する。このとき、車内ＬＡＮ３０には、ＩＧオン信号Ｓｉｏ及びＡＣＣオン信号Ｓａｃｃが出力されている。そして、運転者は、車両２を走行させる。
【００４８】
図２に示されるように、統合ＥＣＵ２１の車両状態判定部２１ｃは、イグニッションスイッチ３４がオンであるか否かを判断する（ステップＳ１）。車両状態判定部２１ｃは、運転者によるイグニッションスイッチ３４への操作によってエンジンが始動されたので、イグニッション状態取得部２１ｅがＩＧオン又はＡＣＣオンを取得し（ステップＳ１：ＹＥＳ）、ステップＳ２に移行する。なお、車両状態判定部２１ｃは、イグニッションスイッチ３４がオンでなければ（ステップＳ１：ＮＯ）、処理を終了する。
【００４９】
車両状態判定部２１ｃは、ドア開閉履歴があるか否かを判断する（ステップＳ２）。すなわち、ドア開閉取得部２１ｄがドア開閉情報を取得しているか否かを確認する。そして、車両状態判定部２１ｃは、ドア開閉履歴があるので（ステップＳ２：ＹＥＳ）、ステップＳ４に移行する。なお、車両状態判定部２１ｃは、ドア開閉履歴がなければ（ステップＳ２：ＮＯ）、イグニッションスイッチ３４への操作があるか否かを判断する（ステップＳ３）。車両状態判定部２１ｃは、イグニッションがオンになったとき、一定時間内にドア開閉履歴がなくても、イグニッションスイッチ３４への操作があれば（ステップＳ３：ＹＥＳ）、統合ＥＣＵ２１ステップＳ４へ移行する。一方、車両状態判定部２１ｃは、イグニッションスイッチ３４への操作がなければ（ステップＳ３：ＮＯ）、処理を終了する。
【００５０】
車両状態判定部２１ｃは、車両２が走行状態であると判定する（ステップＳ４）。統合ＥＣＵ２１の制御機能切替部２１ｂは、車両状態判定部２１ｃの走行状態である旨の判定に基づいて、統合ＥＣＵ２１の制御機能を、リモートキーレスシステム３の機能からタイヤ空気圧監視システム４の機能に切り替える（ステップＳ５）。また、制御機能切替部２１ｂは、ＵＨＦ受信機２３の受信機能を切り替えさせるべく切替指令を受信機能切替部２７に出力する。受信機能切替部２７は、ＵＨＦ受信機２３の受信機能を、タイヤ空気圧監視システム４の機能に切り替える（ステップＳ５）。よって、車両２は、タイヤ空気圧監視システム４の機能が実行可能となる。
【００５１】
そして、車両２が走行を開始すると、タイヤが回転を始める。各タイヤのタイヤセンサ４１，４２，４３，４４は、タイヤが回転を開始したことを、内蔵の加速度センサ（図示略）により検出すると、検出信号Ｓｔｐの送信を開始する。検出信号Ｓｔｐは、各タイヤセンサ４１，４２，４３，４４から順番に送信され、車両走行期間中、この送信サイクルが繰り返し実行される。検出信号Ｓｔｐがタイヤセンサ４１，４２，４３，４４からＵＨＦ受信機２３に届くと、検出情報が統合ＥＣＵ２１に出力されて、空気圧や温度等が空気圧モニタ４５に表示される。
【００５２】
走行中の車両２は、タイヤ空気圧監視システム４の機能を実行可能な状態となっている。すなわち、統合ＥＣＵ２１はタイヤ空気圧監視システム４を制御するとともに、ＵＨＦ受信機２３はタイヤセンサ４１，４２，４３，４４からの電波を受信可能な周波数に設定されている。
【００５３】
一方、走行していた車両２が駐車されて運転者が降車する場合には、運転者は、車両２を停車させてステアリングホイール（図示略）から手を離す。そして、運転者は、エンジンを停止させるべくイグニッションスイッチ３４をロック位置まで始動時と反対方向へ回動操作すると、エンジンが停止する。このとき、車内ＬＡＮ３０には、ＩＧオン信号Ｓｉｏ及びＡＣＣオン信号Ｓａｃｃの出力が停止されるとともに、ＩＧオフ信号Ｓｉｆが出力される。
【００５４】
図３に示されるように、統合ＥＣＵ２１の車両状態判定部２１ｃは、イグニッションスイッチ３４がオフであるか否かを判断する（ステップＳ１１）。すなわち、イグニッション状態取得部２１ｅがＩＧオフ信号Ｓｉｆを取得しているか否かを確認する。そして、車両状態判定部２１ｃは、運転者によるイグニッションスイッチ３４への操作によってエンジンが停止されたので、イグニッション状態取得部２１ｅがイグニッションオフを取得し（ステップＳ１１：ＹＥＳ）、ステップＳ１２に移行する。なお、車両状態判定部２１ｃは、イグニッションがオフでなければ（ステップＳ１１：ＮＯ）、処理を終了する。
【００５５】
ステップＳ１２において、車両状態判定部２１ｃは、車両２が停止状態であると判定する。統合ＥＣＵ２１の制御機能切替部２１ｂは、車両状態判定部２１ｃの停止状態である旨の判定に基づいて、統合ＥＣＵ２１の制御機能を、タイヤ空気圧監視システム４の機能からリモートキーレスシステム３の機能へ切り替える（ステップＳ１３）。また、制御機能切替部２１ｂは、ＵＨＦ受信機２３の受信機能を切り替えさせるべく切替指令を受信機能切替部２７に出力する。受信機能切替部２７は、ＵＨＦ受信機２３の受信機能を、リモートキーレスシステム３に切り替える（ステップＳ１３）。よって、車両２は、リモートキーレスシステム３の機能が実行可能となる。
【００５６】
続いて、運転者が降車すると、リモートキーレスシステム３によってドアロックを施錠する。なお、メカニカルキー３５によってドアロックを施錠してもよい。このとき、統合ＥＣＵ２１はリモートキーレスシステム３の機能を制御するようになっているので、電子キー１によってドアロックの施解錠が可能である。
【００５７】
このとき、電子キー１の施錠ボタン１３が操作されると、ＵＨＦ発信部１２から施錠信号Ｓｌが発信される。統合ＥＣＵ２１は、ＵＨＦ受信機２３で施錠信号Ｓｌを受信すると、ＩＤ照合を行い、ＩＤ照合が成立すれば、メインボディＥＣＵ２２を介してドアロック装置３１に施錠させる。そして、ドアロック装置３１はドアロックを施錠する。
【００５８】
さて、本例の車載通信機２０は、リモートキーレスシステム３とタイヤ空気圧監視システム４とのＥＣＵ及び受信機をそれぞれ統合した。このため、各システム用にＥＣＵ及び受信機を複数設けずに済むため、構成を簡素化できるとともに、設置スペースを少なくすることができる。また、ドア開閉履歴があるか否かと、イグニッションがオンオフのどちらにあるか否かとを判定条件としたので、最適な条件にて統合ＥＣＵ２１の機能を切り替えることができる。よって、エンジンスタータ機能にてエンジンを始動したときに、リモートキーレスシステム３が動作しない状況にならずに済む。
【００５９】
以上、説明した実施形態によれば、以下の作用効果を奏することができる。
（１）車両２に乗り込んだときのみ検出されるドア開閉履歴に基づいて車両２が走行しているか否かを車両状態判定部２１ｃが判定する。そして、車両２が走行状態である際には制御機能切替部２１ｂが車載通信機２０をタイヤ空気圧監視システム４の機能に切り替え、車両２が停止状態である際には制御機能切替部２１ｂが車載通信機２０をリモートキーレスシステム３の機能に切り替える。このため、リモートキーレスシステム３の機能とタイヤ空気圧監視システム４の機能とを統合した車載通信機２０において、車両状態に即した適切な機能の切り替えができる。
【００６０】
（２）イグニッションがオンであることとドア開閉履歴があることを条件に車両２が走行状態であると判定する。このため、リモートエンジンスタータによるエンジン始動時には、ドア開閉履歴がないので、車両２の停止状態と走行状態とを適切に判定することができる。よって、機能切替の精度をより高めることができる。
【００６１】
（３）ドア開閉から一定時間経過していても、イグニッションスイッチ３４を操作することで操作検出スイッチ３４ａから操作検知信号が出力され、リモートキーレスシステム３からタイヤ空気圧監視システム４に切り替わる。このため、エンジン始動操作によって、車載通信機２０がタイヤ空気圧監視システム４に必ず切り替わるので、切替精度を確保できる。
【００６２】
（４）制御機能切替部２１ｂが統合ＥＣＵ２１をリモートキーレスシステム３とタイヤ空気圧監視システム４とに応じた制御に切り替えることができる。
（５）制御機能切替部２１ｂがＵＨＦ受信機２３をリモートキーレスシステム３とタイヤ空気圧監視システム４とに応じた受信機能に切り替えることができる。
【００６３】
なお、上記実施形態は、これを適宜変更した以下の形態にて実施することができる。
・上記構成において、タイヤ空気圧監視システム４のタイヤセンサ４１，４２，４３，４４は自身に内蔵された加速度センサが加速度を検出した際に検出信号Ｓｔｐを発信するようにした。しかしながら、図４に示されるように、タイヤセンサ４１，４２，４３，４４に起動信号Ｓｗｋを送信するイニシエータ７１，７２，７３，７４を各タイヤに設けて、タイヤセンサ４１，４２，４３，４４は起動信号Ｓｗｋをトリガとして検出信号Ｓｔｐを発信するようにしてもよい。ここで、イニシエータ７１，７２，７３，７４を設けたタイヤ空気圧監視システム４においても、エンジンを始動して走り出さないと、タイヤセンサ４１，４２，４３，４４が車軸の陰になって起動信号ＳｗｋがＵＨＦ受信機２３に受信されないおそれがある。このような場合には、イグニッションがオンであることのみを条件にタイヤ空気圧監視システム４に切り替えると、検出信号Ｓｔｐを受信できないため、異常を報知する可能性がある。そこで、上記実施形態と同様に、車両状態判定部２１ｃは、シフト位置がパーキング以外であるか否かと、パーキングブレーキが作動していないか否かと、イグニッションがオンであるか否かとに基づいて車両２が走行状態であるか否かを定期的に判定する。このようにすれば、上記実施形態と同様に、イグニッションがオンとなっただけでは走行状態と判断せず、車両状態に即してリモートキーレスシステムとタイヤ空気圧監視システムとを切り替えることができる。
【００６４】
・上記実施形態において、一定時間は、車種、車両メーカによって任意に設定可能とし、例えば車両ツールによって変更可能としてもよい。
【００６５】
・上記実施形態において、エンジン始動操作検出手段は、イグニッションスイッチ３４に限定されず、プッシュスイッチ等のエンジンを始動するときにユーザが行う行為を検出できるものであればよい。
【００６６】
・上記構成において、エンジン始動操作検出手段を省略した構成を採用してもよい。
・上記実施形態では、エンジン始動操作としてイグニッションスイッチ３４への操作を検出して、エンジン始動操作を条件に機能を切り替えた。しかしながら、エンジン始動操作に代えて、エンジン回転数を取得して、エンジン回転数が所定値以上であることを条件に機能を切り替えてもよい。また、エンジン始動操作に代えて、車速を取得して、車速が所定値以上であることを条件に機能を切り替えてもよい。
【００６７】
・上記実施形態では、車両状態判定部２１ｃが車両状態を定期的に確認したが、イグニッションがオンしたことをトリガとして確認を開始してもよい。
・上記実施形態では、リモートキーレスシステム３が機能する際に、図２に示されるように、車両状態判定部２１ｃがイグニッションの状態（ステップＳ１）、ドア開閉履歴（ステップＳ２）と順番に確認した。しかしながら、これらはいずれから確認してもよく、同時に確認してもよい。
【００６８】
・上記実施形態では、リモートキーレスシステム３が機能する際に、図２に示されるように、車両状態判定部２１ｃがイグニッションスイッチ３４の操作（ステップＳ３）を確認したが、省略してもよい。
【００６９】
・上記実施形態において、車両状態判定部２１ｃは、イグニッションスイッチ３４の操作によって変更されるイグニッションの状態に代えて、同じくイグニッションスイッチ３４の操作によって変更されるアクセサリの状態を車両状態の判定条件としてもよい。なお、アクセサリがオン状態であるときに車両２が走行状態であると判定し、アクセサリがオフ状態であるときに車両２が停止状態であると判定する。
【００７０】
・上記実施形態において、イグニッションスイッチ３４は、ＡＣＣオン、ＩＧオン、ＳＴオン（スタータオン）の３位置をとるものに限定されない。例えば、ＡＣＣオンが省略されたものでもよい。
【００７１】
・上記実施形態では、ワイヤレス信号と検出信号Ｓｔｐとの周波数を異ならせたが、例えば復調方式、暗号形式、送信速度等を異ならせてもよい。
・上記実施形態では、リモートキーレスシステム３の機能とタイヤ空気圧監視システム４の機能とのＥＣＵ（統合ＥＣＵ２１）と、受信機（ＵＨＦ受信機２３）とのそれぞれを統合したが、いずれか一方のみを統合してもよい。すなわち、ＥＣＵは１つで受信機は２つの構成や、ＥＣＵは２つで受信機は１つの構成を採用してもよい。
【００７２】
・上記実施形態において、リモートキーレスシステム３及びタイヤ空気圧監視システム４の周波数は、それぞれ３１２ＭＨｚと３１５ＭＨｚとしたが、仕様や法規等に合わせて任意に変更可能である。
【００７３】
・上記実施形態において、リモートキーレスシステム３及びタイヤ空気圧監視システム４の周波数は、ＵＨＦに限定されず、例えばＬＦ（Ｌｏｗ  Ｆｒｅｑｕｅｎｃｙ）やＨＦ（Ｈｉｇｈ  Ｆｒｅｑｕｅｎｃｙ）等を使用してもよい。
【００７４】
・上記実施形態では、リモートエンジンスタータ装置２６をイグニッションスイッチ３４と直接接続したが、メインボディＥＣＵ２２等の他の装置に直接接続してもよい。また、バスバッファ等を介してリモートエンジンスタータ装置２６をイグニッションスイッチ３４に接続してもよい。
【００７５】
・上記実施形態では、電子キー１によってリモートキーレスシステム３を、リモートエンジンスタータ携帯機６によってリモートエンジンスタータシステム５を遠隔操作したが、それぞれのシステムを１つの通信端末で遠隔操作してもよい。
【００７６】
・上記構成において、電子キー１にＬＦ帯の電波を受信可能なＬＦ受信機を設けるとともに、車両２にＬＦ帯の電波を車外に送信可能なＬＦ発信機を設けてもよい。そして、統合ＥＣＵ２１は、リモートキーレスシステム３によってドアロックの施解錠が完了したことを確認すると、ドアロック施解錠完了通知信号をＬＦ帯の電波により電子キー１に送信して、ドアロック施解錠完了を電子キー１にアンサーバックしてもよい。
【００７７】
・上記構成において、電子キー１と車両２とが相互通信を行い、ドアロックの施解錠やエンジンの始動停止を許可又は実行するキーフリーシステムを搭載してもよい。
・上記構成において、通信端末は電子キー１に限らず、ＩＤコードを無線により送信可能な端末であれば何でもよい。
【００７８】
次に、上記実施形態から把握できる技術的思想をその効果と共に記載する。
（イ）車載通信機において、エンジンの回転数を検出するエンジン回転数検出手段を備え、前記判定手段は、前記イグニッションスイッチがオン状態となったとき、一定時間内にドア開閉履歴がなくとも、所定回転数よりも大きくなったことが前記エンジン回転数検出手段により検出されていれば、前記機能部を前記リモートキーレスシステムから前記タイヤ空気圧監視システムに切り替えることを特徴とする車載通信機。
【００７９】
同構成によれば、ドア開閉から一定時間が経過していても、エンジンを始動させて車両を走行させたときには、車載通信機の機能がタイヤ空気圧監視システムに切り替わる。よって、車両が走行したときには、必ず車載通信機がタイヤ空気圧監視システムに切り替わるので、切替精度を確保することが可能となる。
【００８０】
（ロ）車載通信機において、車速を検出する車速検出手段を備え、前記判定手段は、前
記イグニッションスイッチがオン状態となったとき、一定時間内にドア開閉履歴がなくとも、所定車速よりも大きくなったことが前記車速検出手段により検出されていれば、前記機能部を前記リモートキーレスシステムから前記タイヤ空気圧監視システムに切り替えることを特徴とする車載通信機。
【００８１】
同構成によれば、ドア開閉から一定時間が経過していても、エンジンを始動させて車両を走行させたときには、車載通信機の機能がタイヤ空気圧監視システムに切り替わる。よって、エンジンを始動操作したときには、必ず車載通信機がタイヤ空気圧監視システムに切り替わるので、切替精度を確保することが可能となる。
【符号の説明】
【００８２】
１…通信端末としての電子キー、２…車両、３…リモートキーレスシステム、４…タイヤ空気圧監視システム、５…リモートエンジンスタータシステム、１１…通信制御部、１２…ＵＨＦ発信部、１３…施錠ボタン、１４…解錠ボタン、２０…車載通信機、２１…制御部としての統合ＥＣＵ、２１ｂ…切替手段としての制御機能切替部、２１ｃ…判定手段としての車両状態判定部、２１ｄ…ドア開閉取得部、２１ｅ…イグニッション状態取得部、２２…メインボディＥＣＵ、２３…ＵＨＦ受信機、２４…エンジンＥＣＵ、２６…リモートエンジンスタータ装置、２７…受信機能切替手段としての受信機能切替部、３０…車内ＬＡＮ、３１…ドアロック装置、３２…ＩＧリレー、３３…ＡＣＣリレー、３４…イグニッションスイッチ、３４ａ…エンジン始動操作検出手段としての操作検出スイッチ、３５…メカニカルキー、４１，４２，４３，４４…タイヤセンサ、４５…空気圧モニタ、５４…ドアカーテシランプスイッチ、６１…通信制御部、６２…ＵＨＦ発信部、６３…スタートボタン、６４…ストップボタン、Ｓａｃｃ…ＡＣＣオン信号、Ｓｅｓ…始動信号、Ｓｅｔ…停止信号、Ｓｉｇ…ＩＧオン信号、Ｓｉｆ…ＩＧオフ信号、Ｓｌ…施錠信号、Ｓｕｌ…解錠信号、Ｓｒｅｓ…リモートエンジンスタータ作動信号。
【図１】
0005587741.tif 000002
【図２】
0005587741.tif 000003
【図３】
0005587741.tif 000004
【図４】
0005587741.tif 000005